【手続補正書】
【提出日】平成19年5月16日(2007.5.16)
【手続補正１】
【補正対象書類名】明細書
【補正対象項目名】発明の名称
【補正方法】変更
【補正の内容】
【発明の名称】撮像装置および撮像装置の制御方法
【手続補正２】
【補正対象書類名】明細書
【補正対象項目名】特許請求の範囲
【補正方法】変更
【補正の内容】
【特許請求の範囲】
【請求項１】  複数の切替段単位の中から選択された切替段単位で段階的に可変可能な露出制御用設定値を設定する設定手段と、
露出制御用設定値を複数の固定パターンでスケール状に表示する表示素子と、
前記設定手段にて設定された露出制御用設定値に対応する前記固定パターンが前記表示素子にない場合に、設定された露出制御用設定値に隣り合う２つの固定パターンを同時に表示するように前記表示素子を制御する制御手段と
を有することを特徴とする撮像装置。
【請求項２】  前記制御手段は、前記設定手段にて設定された露出制御用設定値に対応する前記固定パターンが前記表示素子にない場合には、設定された露出制御用設定値に隣り合う固定パターンを同時に、前記露出制御用設定値に対応する前記固定パターンが前記表示素子にある場合とは異なる表示形態にて表示するように前記表示素子を制御することを特徴とする請求項１に記載の撮像装置。
【請求項３】  前記制御手段は、前記設定手段にて設定された露出制御用設定値に対応する前記固定パターンが前記表示素子にある場合には、設定された露出制御用設定値に対応する固定パターンを点灯表示するように前記表示素子を制御し、前記設定手段にて設定された露出制御用設定値に対応する前記固定パターンが前記表示素子にない場合には、設定された露出制御用設定値に隣り合う固定パターンを同時に点滅表示するように前記表示素子を制御することを特徴とする請求項２に記載の撮像装置。
【請求項４】  露出制御用設定値を複数の固定パターンでスケール状に表示する表示素子を有する撮像装置の制御方法であって、
複数の切替段単位の中から選択された切替段単位で段階的に可変可能な露出制御用設定値を設定する設定ステップと、
前記設定ステップにて設定された露出制御用設定値に対応する前記固定パターンが前記表示素子にない場合に、設定された露出制御用設定値に隣り合う２つの固定パターンを同時に表示するように前記表示素子を制御する制御ステップと
を有することを特徴とする撮像装置の制御方法。
【請求項５】  前記制御ステップは、前記設定ステップにて設定された露出制御用設定値に対応する前記固定パターンが前記表示素子にない場合には、設定された露出制御用設定値に隣り合う固定パターンを同時に、前記露出制御用設定値に対応する前記固定パターンが前記表示素子にある場合とは異なる表示形態にて表示するように前記表示素子を制御することを特徴とする請求項４に記載の撮像装置の制御方法。
【請求項６】  前記制御ステップは、前記設定ステップにて設定された露出制御用設定値に対応する前記固定パターンが前記表示素子にある場合には、設定された露出制御用設定値に対応する固定パターンを点灯表示するように前記表示素子を制御し、前記設定手段にて設定された露出制御用設定値に対応する前記固定パターンが前記表示素子にない場合には、設定された露出制御用設定値に隣り合う固定パターンを同時に点滅表示するように前記表示素子を制御することを特徴とする請求項５に記載の撮像装置の制御方法。
【手続補正３】
【補正対象書類名】明細書
【補正対象項目名】０００１
【補正方法】変更
【補正の内容】
【０００１】
【発明の属する技術分野】
本発明は、複数の切替段単位の中から選択された切替段単位で設定された露出制御用設定値を表示する撮像装置およびその制御方法に関する。
【手続補正４】
【補正対象書類名】明細書
【補正対象項目名】０００２
【補正方法】変更
【補正の内容】
【０００２】
【従来の技術】
露出補正値、自動露出ずらし機能の設定値、ストロボ調光補正値、ストロボ自動調光ずらし機能の設定値などを表示する際に、０を中心とするスケール状の表示を用いる撮像装置が知られている。この表示では、−２、−１、０、＋１、＋２といった常に表示される固定パターンと、設定値を示す部分だけ表示されるドットパターンにて構成されている。このような表示パターンには、１／２段単位で設定値の表示が可能なものと、１／３段単位で設定値の表示が可能なものがある。
【手続補正５】
【補正対象書類名】明細書
【補正対象項目名】０００３
【補正方法】削除
【補正の内容】
【手続補正６】
【補正対象書類名】明細書
【補正対象項目名】０００４
【補正方法】削除
【補正の内容】
【手続補正７】
【補正対象書類名】明細書
【補正対象項目名】０００５
【補正方法】削除
【補正の内容】
【手続補正８】
【補正対象書類名】明細書
【補正対象項目名】０００６
【補正方法】削除
【補正の内容】
【手続補正９】
【補正対象書類名】明細書
【補正対象項目名】０００７
【補正方法】削除
【補正の内容】
【手続補正１０】
【補正対象書類名】明細書
【補正対象項目名】０００８
【補正方法】削除
【補正の内容】
【手続補正１１】
【補正対象書類名】明細書
【補正対象項目名】０００９
【補正方法】削除
【補正の内容】
【手続補正１２】
【補正対象書類名】明細書
【補正対象項目名】００１０
【補正方法】削除
【補正の内容】
【手続補正１３】
【補正対象書類名】明細書
【補正対象項目名】００１１
【補正方法】削除
【補正の内容】
【手続補正１４】
【補正対象書類名】明細書
【補正対象項目名】００１２
【補正方法】削除
【補正の内容】
【手続補正１５】
【補正対象書類名】明細書
【補正対象項目名】００１３
【補正方法】削除
【補正の内容】
【手続補正１６】
【補正対象書類名】明細書
【補正対象項目名】００１４
【補正方法】削除
【補正の内容】
【手続補正１７】
【補正対象書類名】明細書
【補正対象項目名】００１５
【補正方法】変更
【補正の内容】
【００１５】
【発明が解決しようとする課題】
このような表示を持つ撮像装置において、露出補正値を１／２段単位の補正と１／３段単位の補正とを切り替えることができるように構成すると、１／２段単位で設定値の表示が可能な場合には、１／３段単位に切り替えた場合に、１／３段に対応する表示パターンがない。また、１／３段単位で設定値の表示が可能な場合には、１／２段単位に切り替えた場合に、１／２段に対応する表示パターンがない。したがって、設定された露出制御用設定値の表示を正確に表示することができず、この表示から露出制御用設定値をユーザが即座に認識することは難しいという問題が生じていた。
【手続補正１８】
【補正対象書類名】明細書
【補正対象項目名】００１６
【補正方法】削除
【補正の内容】
【手続補正１９】
【補正対象書類名】明細書
【補正対象項目名】００１７
【補正方法】変更
【補正の内容】
【００１７】
本発明の目的は、ユーザの誤認識を招くことなく、ユーザが正確に認識可能な露出制御用設定値の表示を行うことができる撮像装置およびその制御方法を提供することにある。
【手続補正２０】
【補正対象書類名】明細書
【補正対象項目名】００１８
【補正方法】変更
【補正の内容】
【００１８】
【課題を解決するための手段】
本発明の撮像装置は、複数の切替段単位の中から選択された切替段単位で段階的に可変可能な露出制御用設定値を設定する設定手段と、露出制御用設定値を複数の固定パターンでスケール状に表示する表示素子と、前記設定手段にて設定された露出制御用設定値に対応する前記固定パターンが前記表示素子にない場合に、設定された露出制御用設定値に隣り合う２つの固定パターンを同時に表示するように前記表示素子を制御する制御手段とを有することを特徴とする。
【手続補正２１】
【補正対象書類名】明細書
【補正対象項目名】００１９
【補正方法】変更
【補正の内容】
【００１９】
本発明の撮像装置の制御方法は、露出制御用設定値を複数の固定パターンでスケール状に表示する表示素子を有する撮像装置の制御方法であって、複数の切替段単位の中から選択された切替段単位で段階的に可変可能な露出制御用設定値を設定する設定ステップと、前記設定ステップにて設定された露出制御用設定値に対応する前記固定パターンが前記表示素子にない場合に、設定された露出制御用設定値に隣り合う２つの固定パターンを同時に表示するように前記表示素子を制御する制御ステップとを有することを特徴とする。
【手続補正２２】
【補正対象書類名】明細書
【補正対象項目名】００２０
【補正方法】削除
【補正の内容】
【手続補正２３】
【補正対象書類名】明細書
【補正対象項目名】００２１
【補正方法】削除
【補正の内容】
【手続補正２４】
【補正対象書類名】明細書
【補正対象項目名】００２２
【補正方法】削除
【補正の内容】
【手続補正２５】
【補正対象書類名】明細書
【補正対象項目名】００２３
【補正方法】削除
【補正の内容】
【手続補正２６】
【補正対象書類名】明細書
【補正対象項目名】００２４
【補正方法】削除
【補正の内容】
【手続補正２７】
【補正対象書類名】明細書
【補正対象項目名】００２５
【補正方法】削除
【補正の内容】
【手続補正２８】
【補正対象書類名】明細書
【補正対象項目名】００２６
【補正方法】削除
【補正の内容】
【手続補正２９】
【補正対象書類名】明細書
【補正対象項目名】００２７
【補正方法】削除
【補正の内容】
【手続補正３０】
【補正対象書類名】明細書
【補正対象項目名】００２８
【補正方法】削除
【補正の内容】
【手続補正３１】
【補正対象書類名】明細書
【補正対象項目名】００２９
【補正方法】削除
【補正の内容】
【手続補正３２】
【補正対象書類名】明細書
【補正対象項目名】００３０
【補正方法】削除
【補正の内容】
【手続補正３３】
【補正対象書類名】明細書
【補正対象項目名】００３１
【補正方法】削除
【補正の内容】
【手続補正３４】
【補正対象書類名】明細書
【補正対象項目名】００３２
【補正方法】削除
【補正の内容】
【手続補正３５】
【補正対象書類名】明細書
【補正対象項目名】００３３
【補正方法】削除
【補正の内容】
【手続補正３６】
【補正対象書類名】明細書
【補正対象項目名】００３４
【補正方法】削除
【補正の内容】
【手続補正３７】
【補正対象書類名】明細書
【補正対象項目名】００３５
【補正方法】削除
【補正の内容】
【手続補正３８】
【補正対象書類名】明細書
【補正対象項目名】００３６
【補正方法】削除
【補正の内容】
【手続補正３９】
【補正対象書類名】明細書
【補正対象項目名】００３７
【補正方法】削除
【補正の内容】
【手続補正４０】
【補正対象書類名】明細書
【補正対象項目名】００３８
【補正方法】削除
【補正の内容】
【手続補正４１】
【補正対象書類名】明細書
【補正対象項目名】００３９
【補正方法】削除
【補正の内容】
【手続補正４２】
【補正対象書類名】明細書
【補正対象項目名】００４０
【補正方法】削除
【補正の内容】
【手続補正４３】
【補正対象書類名】明細書
【補正対象項目名】００４１
【補正方法】削除
【補正の内容】
【手続補正４４】
【補正対象書類名】明細書
【補正対象項目名】００４２
【補正方法】削除
【補正の内容】
【手続補正４５】
【補正対象書類名】明細書
【補正対象項目名】００４３
【補正方法】削除
【補正の内容】
【手続補正４６】
【補正対象書類名】明細書
【補正対象項目名】００９２
【補正方法】変更
【補正の内容】
【００９２】
【発明の効果】
以上説明したように、本発明によれば、設定された露出制御用設定値に対応する固定パターンが表示素子にない場合に、設定された露出制御用設定値に隣り合う２つの固定パターンを同時に表示することによって、ユーザの誤認識を招くことなく、ユーザが正確に認識可能な露出制御用設定値の表示を行うことができる。
【手続補正４７】
【補正対象書類名】明細書
【補正対象項目名】００９３
【補正方法】削除
【補正の内容】
【手続補正４８】
【補正対象書類名】明細書
【補正対象項目名】００９４
【補正方法】削除
【補正の内容】
【手続補正４９】
【補正対象書類名】明細書
【補正対象項目名】００９５
【補正方法】削除
【補正の内容】
【手続補正５０】
【補正対象書類名】明細書
【補正対象項目名】図面の簡単な説明
【補正方法】変更
【補正の内容】
【図面の簡単な説明】
【図１】
本発明の実施の一形態に係る撮像装置の構成を示すブロック図である。
【図２】
（ａ）は図１の撮像装置の本体外装に設けられたＬＣＤの固定表示絵柄の構成を示す図、（ｂ）は光学ファインダ内に組み込まれたＬＣＤの固定表示絵柄の構成を示す図である。
【図３】
図１の撮像装置の画像表示部に表示される露出補正表示用スケールの一例を示す図である。
【図４】
図１の撮像装置における露出補正、自動露出ずらし機能、ストロボ調光補正、ストロボ自動調光ずらし機能の設定手順および撮影時の表示手順を示すフローチャートである。
【図５】
図１の撮像装置における１／２段、１／３段のそれぞれで切り替えられる場合の露出補正値またはストロボ調光補正値の表示例を示す図である。
【図６】
図１の撮像装置における１／２段、１／３段のそれぞれで切り替えられる場合の自動露出ずらし機能またはストロボ自動調光ずらし機能の設定値の表示例を示す図である。
【図７】
図１の撮像装置における１／２段、１／３段のそれぞれで切り替えられる場合の自動露出ずらし機能またはストロボ自動調光ずらし機能の設定値の表示例を示す図である。
【図８】
図１の撮像装置における１／２段、１／３段のそれぞれで切り替えられる場合の自動露出ずらし機能またはストロボ自動調光ずらし機能の設定値の表示例を示す図である。
【符号の説明】
１０  撮影レンズ
１２  シャッター
１４  撮像素子
２８  画像表示部（第２の表示手段）
５０  システム制御回路
５４  表示部
７０  操作部
１００  撮像装置
２２１，２２２  ＬＣＤ（第１の表示手段）
２２１ａ，２２２ａ  露出補正表示
３０１  スケール
【手続補正５１】
【補正対象書類名】図面
【補正対象項目名】図９
【補正方法】削除
【補正の内容】
【手続補正５２】
【補正対象書類名】図面
【補正対象項目名】図１０
【補正方法】削除
【補正の内容】
【手続補正５３】
【補正対象書類名】図面
【補正対象項目名】図１１
【補正方法】削除
【補正の内容】